(57)【要約】  放送信号から受信した情報を選択的に記憶するための方法が開示される。この方法は、複数のキャラクタを含む放送メッセージを受信して識別するステップと、受信したメッセージの各キャラクタを、メモリに記憶されたタグ開始（ＳＯＴ）識別子と比較するステップと、受信メッセージにおいて受信されたキャラクタが、前記メモリ記憶されたＳＯＴ識別子に一致すると決定された場合は、受信メッセージにおける後続キャラクタの各々を、前記メモリに記憶されたタグ終了（ＥＯＴ）識別子と比較するステップと、前記受信メッセージがＳＯＴ及びＥＯＴの両識別子を含むかどうか決定するステップと、前記決定の結果に基づき記憶ユニットに前記メッセージを記憶するステップと、を備えている。【選択図】図１
2009529274.tif 000002
【特許請求の範囲】
【請求項１】
放送信号から受信した情報を選択的に記憶するための方法において、
（ａ）複数のキャラクタを含む放送メッセージを受信して識別するステップと、
（ｂ）受信したメッセージの各キャラクタを、メモリに記憶されたタグ開始（ＳＯＴ）識別子と比較するステップと、
（ｃ）受信メッセージにおいて受信された１つ以上のキャラクタが、前記メモリ記憶されたＳＯＴ識別子に一致すると決定された場合は、受信メッセージにおける後続キャラクタの各々を、前記メモリに記憶されたタグ終了（ＥＯＴ）識別子と比較するステップと、
（ｄ）前記受信メッセージがＳＯＴ及びＥＯＴの両識別子を含むかどうか決定するステップと、
（ｅ）前記決定の結果に基づき記憶ユニットに前記メッセージを記憶するステップと、
を備えた方法。
【請求項２】
（ａ）前記ＳＯＴ識別子とＥＯＴ識別子との間の１つ以上のキャラクタを、前記メモリに記憶されたメッセージのカテゴリと比較することにより、前記メッセージのカテゴリを決定するステップと、
（ｂ）前記ＳＯＴ識別子とＥＯＴ識別子との間の１つ以上のキャラクタが、前記メモリに記憶されたメッセージのカテゴリと一致するか又はそれを含むと決定された場合には、その決定の結果に基づきその決定されたカテゴリのもとで前記記憶ユニットにメッセージを記憶するステップと、
を更に備えた請求項１に記載の方法。
【請求項３】
前記記憶ユニットに記憶されたカテゴリが前記ＳＯＴ識別子とＥＯＴ識別子との間の１つ以上のキャラクタに一致すると決定された場合には、前記ＳＯＴ識別子とＥＯＴ識別子との間の１つ以上のキャラクタを含む新たなカテゴリのもとで前記記憶ユニットにメッセージを記憶するステップを備えた、請求項２に記載の方法。
【請求項４】
前記メッセージにおいて受信された情報をディスプレイに表示するステップを更に備えた、請求項１ないし３のいずれかに記載の方法。
【請求項５】
前記記憶されたメッセージが、メモリユニットに記憶された１つ以上のフォーマットキャラクタに一致する１つ以上のキャラクタを含むと決定された場合には、前記メッセージにおいて受信された情報を、一致するフォーマットキャラクタに基づくフォーマットで表示するステップを備えた、請求項４に記載の方法。
【請求項６】
（ａ）前記ＳＯＴとＥＯＴとの間のキャラクタを、前記メモリに記憶された更新識別子と比較するステップと、
（ｂ）前記ＳＯＴとＥＯＴとの間のキャラクタが、前記メモリに記憶された更新識別子と一致すると決定された場合には、前記ＳＯＴ、ＥＯＴ識別子、及び前記メモリに記憶されたフォーマットキャラクタの１つ以上を、前記メッセージに含まれたもので更新するステップと、
を更に備えた請求項１から５のいずれかに記載の方法。
【請求項７】
前記情報は、テキスト情報を含む請求項１から６のいずれかに記載の方法。
【請求項８】
前記情報は、数字情報を含む、請求項１から７のいずれかに記載の方法。
【請求項９】
前記情報は、グラフィック情報を含む、請求項１から８のいずれかに記載の方法。
【請求項１０】
メッセージにおいて受信されるキャラクタは、受信器の機能を更新するためのキャラクタを含む、請求項１から９のいずれかに記載の方法。
【請求項１１】
（ａ）複数のキャラクタを含む放送メッセージを受信するための受信器と、
（ｂ）受信したメッセージの各キャラクタを、メモリに記憶されたタグ開始（ＳＯＴ）識別子と比較するための比較器と、
（ｃ）受信メッセージにおいて受信されたキャラクタが、前記メモリ記憶されたＳＯＴ識別子に一致すると決定された場合には、受信メッセージにおける後続キャラクタの各々を、前記メモリに記憶されたタグ終了（ＥＯＴ）識別子と比較するための比較器と、
（ｄ）前記受信メッセージがＳＯＴ及びＥＯＴの両識別子を含むかどうか決定する手段と、
（ｅ）前記決定の結果に基づき前記メッセージを記憶するための記憶ユニットと、
を備えた放送受信器。
【請求項１２】
前記放送受信器は、デジタルオーディオ放送ラジオ受信器である、請求項１１に記載の放送受信器。
【請求項１３】
前記放送受信器は、ＲＤＳが装備されたアナログラジオである、請求項１１に記載の放送受信器。
【発明の詳細な説明】
【技術分野】
【０００１】
本発明は、情報、好ましくは、放送信号又は番組と共に送信されるテキスト情報を受信し、好ましくは、表示して、付加的な情報をユーザに与えることができる放送受信器、好ましくは、デジタル受信器に係る。
【背景技術】
【０００２】
本発明は、デジタル受信器、例えば、デジタルオーディオブロードキャスト（ＤＡＢ）規格を使用するデジタル受信器を参照して説明するが、当業者であれば、本発明の実施形態は、例えば、ラジオデータシステム（ＲＤＳ）、或いはテレビジョン又は他の受信器が装備されたアナログ受信器と共に好都合に使用できることが明らかであろう。
【０００３】
デジタルラジオ受信器、及びＲＤＳが装備されたアナログラジオ受信器は、両方とも、ユーザディスプレイに表示されるべきテキストとしてデコードされた信号、及び通常のオーディオ信号を受信することができる。
【発明の開示】
【発明が解決しようとする課題】
【０００４】
現在のデジタルラジオ受信器では、放送ラジオ信号でエンコードされたどんなテキストが受信器に表示されるように意図されるかを放送局が決定する。しかしながら、受信器にメッセージが表示される期間は、受信器が決定する。典型的に、メッセージは、ディスプレイ上でスクロールされ、そして破棄される。それ故、ユーザに関心があるかもしれない情報が、一般に、送信時にユーザに一時的に得られるに過ぎない。
【課題を解決するための手段】
【０００５】
本発明の第１の態様によれば、放送信号から受信した情報を選択的に記憶するための方法及びシステムであって、複数のキャラクタを含む放送メッセージを受信して識別するステップと、受信したメッセージの各キャラクタを、メモリに記憶されたタグ開始（ＳＯＴ）識別子と比較するステップと、受信メッセージにおいて受信された１つ以上のキャラクタが、メモリに記憶されたＳＯＴ識別子に一致すると決定された場合には、受信メッセージにおける後続キャラクタの各々を、メモリに記憶されたタグ終了（ＥＯＴ）識別子と比較するステップと、受信メッセージがＳＯＴ及びＥＯＴの両識別子を含むかどうか決定するステップと、その決定の結果に基づいて記憶ユニットにメッセージを記憶するステップと、を備えた方法及びシステムが提供される。
【０００６】
好ましくは、受信した情報は、ディスプレイに表示もされる。
【０００７】
好ましくは、記憶されたメッセージが、メモリユニットに記憶された１つ以上のフォーマットキャラクタに一致する１つ以上のキャラクタを含むと決定された場合には、メッセージにおいて受信された情報が、一致するフォーマットキャラクタに基づくフォーマットで表示される。
【０００８】
以下、添付図面を参照して、本発明を一例として説明する。
【発明を実施するための最良の形態】
【０００９】
図１に示す本発明の一実施形態では、デジタルラジオ受信器は、アンテナ１と、放送信号を受信するための受信ユニット３と、プロセッサ（比較器）５と、メモリユニット１３、好ましくは、不揮発性メモリユニットとを備えている。好ましくは、この実施形態は、受信したテキストを見るためのディスプレイ７と、ユーザインターフェイス９も備えている。これらの機能的コンポーネントは、以下に詳細に説明する。
【００１０】
図１と、図２のフローチャートとを参照すれば、デジタルラジオで受信されて表示されるメッセージは、放送局により、動的ラベルセグメント（ＤＬＳ）メッセージとして送信される。ＤＬＳメッセージは、典型的に、ディスプレイ上でテキストをスクロールするときに、ラジオ受信装置において見られる。いわゆるノーマルＤＬＳメッセージは、全ての放送局によりデジタルラジオへ現在送信されるメッセージである。しかしながら、これらのメッセージは、表示されると、デジタルラジオによって破棄される。しかしながら、タグ付きのＤＬＳメッセージを効果的に設けられることが明らかであろう。これらのタグ付きのＤＬＳメッセージは、好ましくは、通常のアメリカン・スタンダード・コード・フォー・インフォメーション・インターチェンジ（ＡＳＣＩＩ）キャラクタである識別子キャラクタ、例えば、引用符内に示す次のキャラクタ、“＊”、“：”、“−”、の１つ以上を使用してフォーマットされる。又、ＡＳＣＩＩ及び非ＡＳＣＩＩの両方である他のキャラクタも使用できる。
【００１１】
全てのデジタル受信器は、このようなキャラクタを受信できるが、本発明による受信器だけは、特定のパーズアルゴリズムを使用して、これらのキャラクタを受信する結果として特定のアクションを遂行する。
【００１２】
図２は、本発明の実施形態によって遂行されるステップを示すフローチャートである。第１に、好ましくは放送局によりオーディオ信号と共にＤＬＳメッセージとして送信されるテキストは、ステップ１４において、受信器３により受信される。
【００１３】
次いで、ＤＬＳメッセージは、ステップ１５において、ＤＬＳ入力バッファ（図１には示さず）に保持される。入力バッファは、受信ユニット３の一部分でもよいし、或いは又別々に設けられてもよい。次いで、ＤＬＳパーザは、ステップ１７において、プロセッサ５でデータを処理し、そしてＤＬＳタグ付きメッセージを境界定めする特殊な所定の識別子に対してメッセージを検査する。
【００１４】
有効な「タグ開始」（ＳＯＴ）識別子がプロセッサ（比較器）により見つけられた場合には、アルゴリズムは、「タグ終了」（ＥＯＴ）識別子をサーチする。ＥＯＴ識別子も見つけられた場合には、これは、ＤＬＳタグ付きメッセージであると決定されることを意味する（ステップ１９）。ＳＯＴ識別子とＥＯＴ識別子との間のテキストは、ＤＬＳタグであり、そしてＤＬＳタグの例は、“ＲＥＳＵＬＴＳ”又は“ＮＥＷＳ”、等である。又、ＤＬＳタグは、“−”のようなフォーマットキャラクタを含むこともでき、これは、ＤＬＳメッセージをその後に表示するときにメッセージをフォーマットするためにプロセッサにより使用される。
【００１５】
タグ付きのＤＬＳメッセージ又はストリングの５つの例を以下に示す。
“*Menu Root−Sub Menu[3]−Sub Menu[1]: First Menu Item”
“*Menu Root[2]: Third Menu Item; Fourth Menu Item”
“*Menu Root−Sub Menu[2]: Third Menu Item”
“*Menu Root−Sub Menu[1]: First Menu Item; Second Menu Item”
“*Menu Root[1]: First Menu Item; Second Menu Item”
【００１６】
アスタリスク‘＊’は、ＳＯＴ識別子であり、コロン‘：’は、ＥＯＴ識別子である。セミコロン‘；’は、メニューアイテム間のデリミッタとして使用される。付加的なテキストフォーマッタ（この例では、ダッシュ‘−’が使用される）は、ハイアラーキー又はデータインデックスの付加的なレベルを与えるのに使用できる。もちろん、他のキャラクタを、ＳＯＴ、ＥＯＴ識別子、又はテキストフォーマットキャラクタとして等しく使用することができる。前記例では、各タグ付きＤＬＳメッセージが個別に送信され、従って、全部で５つのタグ付きＤＬＳメッセージがあることに注意されたい。
【００１７】
好ましくは、メッセージは、メモリ１３に記憶される前に、それらのＤＬＳタグに基づいて分類される。このために、プロセッサ５は、ＤＬＳタグを検査する。前記例では、ＤＬＳメッセージの１つが、ＤＬＳタグ“Menu Root−Sub Menu[3]−Sub Menu[1]”を有する。
【００１８】
プロセッサ５は、第１に、ＤＬＳタグ内に含まれた“−”のようなフォーマットキャラクタが存在するかどうか決定する。プロセッサは、ＤＬＳタグの各キャラクタを、メモリ（１３）に記憶された各フォーマットキャラクタと比較することによりこれを行う。プロセッサは、各フォーマットキャラクタを解釈して、テキストがディスプレイ（以下参照）に表示されるときに、それが、一致するフォーマットキャラクタに基づくフォーマットで表示されるようにする。更に、フォーマットキャラクタは、ユーザが後で情報を容易に検索できるように情報を分類するのにも使用できる。この例では、プロセッサは、２つの“−”キャラクタを探索する。それ故、これらは、フォーマットキャラクタの右側のテキストを記憶前にサブメニューのもとで分類すべきであることを意味するようにプロセッサによって解釈される。テキストを表示するときには、メニュー又はカテゴリー内のテキストは、メニューそれ自体からインデントを取って、メニュー内のアイテムを容易に識別できるようにする。特定のメニューのカテゴリー又はタイトルは、“−”のようなフォーマットキャラクタに続くが、順序パラメータ（以下参照）として知られた［３］のような方形カッコ内のテキストの前のテキストとしてプロセッサにより決定される。或いは又、順序パラメータがない場合には、メニューカテゴリーは、“：”のようなＥＯＴ識別子の直前のフォーマットキャラクタ又は他のフォーマットキャラクタに続くテキストとして決定される。
【００１９】
この例では、プロセッサは、ＥＯＴ識別子の後のテキストを、サブメニュー内のテキストの第１行として分類すべきであると決定し、サブメニューは、更に別のサブメニュー内の第３アイテムとして位置される。これは、後で、図で示す。
【００２０】
メッセージがディスプレイ（以下参照）に表示されるときには、メッセージは、各ＤＬＳメッセージに順序パラメータを使用することにより正しい順序でユーザに与えられる。順序パラメータは、方形カッコ内の数字、例えば、この例では、［１］又は［２］、等であるが、他のインジケータを使用して、順序パラメータ、例えば、＜１＞、又は数字の前の１つ以上のキャラクタ、例えば、＃１を指示することもできる。リストにおいて小さな数が最初に表示されるのが好ましい。
【００２１】
これは、データを正しく処理するためにＤＬＳメッセージを整然と受信する必要がないことを意味する。ＤＬＳメッセージは、たとえ正しい順序で受信されなくても正しく処理できることが重要である。これは、現在、ＤＬＳメッセージが１２８キャラクタの最大長さを有し、従って、放送局により送信される情報が１２８キャラクタ以下のメッセージに分離されねばならないからである。
【００２２】
次いで、メッセージは、ステップ２１において、適当なカテゴリーのもとでデータベースマネージャーによりその後に検索されるように、好ましくは不揮発性メモリであるメモリ１３に記憶され又は記録される。好ましくは、メッセージは、次いで、ディスプレイ７に表示される。メッセージをアンフォーマット状態で表示して、タグ及び他のフォーマットキャラクタ（以下参照）がディスプレイ上に見えるようにすることができる。或いは又、表示されるメッセージは、更に別のフォーマットキャラクタを使用することによりデータベースマネージャーによってフォーマットすることができる。これは、タグ付きＤＬＳストリングの特定例を参照して以下に詳細に説明する。
【００２３】
他方、ステップ１９において、特定の識別子がないか、又はタグ開始識別子はあるが、それに対応するタグ終了識別子がないことがプロセッサ（比較器）により決定された場合には、ＤＬＳパーザは、ステップ１９において、メッセージが特殊なＤＬＳタグ付きメッセージでないことを決定し、そしてメッセージは、好ましくは、ディスプレイ７に表示するためにディスプレイバッファへ出力される（ステップ２５）。或いは又、メッセージは、ディスプレイ７に表示せずに破棄することもできる。
【００２４】
ＤＬＳタグ付きメッセージは、表示せずに記憶だけ行い、後で、ユーザによって見ることができる。或いは又、ＤＬＳタグ付きメッセージは、通常のＤＬＳメッセージと同様に受信されたときに表示することもできる。
【００２５】
このように、全ての受信メッセージ（タグ付き又はタグなし）は、ステップ２５において、ディスプレイバッファ７に出力することができる。
【００２６】
タグ付きメッセージは、ユーザインターフェイス９の制御のもとでメモリ１３から検索することができる。タグ付きメッセージが付加的なカテゴリー及びフォーマット情報を有するときには、ユーザインターフェイスは、テキストのオリジナルフォーマットに対して付加的な仕方で情報を与えることができる。
【００２７】
それ故、前記例の５つのＤＬＳメッセージは、次のように表示され、記憶される。
Menu Root
First Menu Item
Second Menu Item
Third Menu Item
Fourth Menu Item
Sub Menu
First Menu Item
Second Menu Item
Third Menu Item
Sub Menu
First Menu Item
【００２８】
このようにメッセージを分類し記憶することで、ユーザは、記憶されたカテゴリーのリストを後で表示し、そしてそれらカテゴリーの１つを選択して、そのカテゴリーの情報を含むメッセージが受信された後にユーザが関心のある情報を検索できるようにする。
【００２９】
更に別の実施形態では、ユーザは、ユーザが定義した基準に一致するＤＬＳタグ付きメッセージを選択的に記憶するようにプロセッサをプログラムすることができる。例えば、ユーザは、ＤＬＳタグ「フットボール」及び「ニュース」に関係したメッセージを記憶することのみに関心があることがある。次いで、テキスト「フットボール」及び／又は「ニュース」に一致し及び／又はそれを含むＤＬＳタグを伴うメッセージだけがメモリに記憶される。当業者に明らかなように、この実施形態は、それ自身で使用されてもよいし、或いはここに述べる１つ以上の実施形態に関連して使用されてもよい。
【００３０】
更に別の実施形態では、ＤＬＳメッセージは、所定の時間周期中だけ記憶することができる。ユーザは、単に、メッセージを保持したい時間周期で装置をプログラムする。プロセッサは、新たなＤＬＳタグ付きメッセージが受信されたと決定すると、日付と、任意であるが、メッセージが受信された時刻とを記憶し、そしてユーザが定義した記憶周期から、いつメッセージを削除すべきか決定する。この実施形態は、メッセージの多くが古いもので、時代遅れのメッセージに関係しているためにユーザにとってあまり関心がないかもしれない非常に多くのＤＬＳメッセージをメモリに記憶するのを回避するという効果がある。又、メモリユニット１３がいっぱいであるときにユーザがメッセージを手動で削除しなければならないという問題も回避する。
【００３１】
更に、記憶ユニットに記憶されるＤＬＳメッセージの数を制限することにより、ユーザは、情報をサーチするときに、メッセージを通して容易にナビゲートすることができる。これは、受信ユニットに共通の小型のディスプレイに少数のメッセージを容易に表示してサーチすることができるからである。
【００３２】
タグ付きＤＬＳメッセージの特定の例は、次の通りです。
ＤＬＳ１：
“*Football−Prem Lge Table[1]: 1. Chelsea 27 pts; 2. Spurs 18 pts; 3. Charlton 16 pts”
ＤＬＳ２：
“You're Listening to Talksport with special studio guest Ledley King”
ＤＬＳ３：
“*Football−Prem Lge Table[3]: 7. Arsenal 12pts; 8. Wigan 11 pts; 9. West Ham10pts”
ＤＬＳ４：
“*Football−Prem Lge Table[2]: 4. Man Utd 14pts; 5. Man City 14 pts; 6. Bolton 14pts”
【００３３】
これは、次のものを表示する。
Football
Prem Lge Table
１．Chelsea 27pts
２．Spurs 18pts
３．Charlton 16pts
４．Man Utd 14pts
５．Man City 14pts
６．Bolton 14pts
７．Arsenal 12pts
８．Wigan 11pts
９．West Ham 10pts
【００３４】
データを正しく処理するためにＤＬＳメッセージを整然と受信する必要がないことに注意されたい。ＤＬＳ２は、特殊なＤＬＳではなく、これは、受信器により表示されるが、データは、分類も記憶もされない。
【００３５】
この実施形態では、多数の一致の結果が、多数のタグ付きＤＬＳメッセージを経てユーザへ送信されることが明らかである。それ故、例えば、メッセージが放送されるときに、ユーザがトンネルを走行している場合には、一時的に受信不良となるために、これらメッセージの１つが受信ユニットによって受信されないことが考えられる。それ故、好ましくは、システムは、メッセージの１つ以上が受信されなかったときに表示すべきデフォールトテキストを含むことができる。テキストは、単に“＃＃＃＃＃”であるか、又は他の適当なテキストである。好ましくは、放送局は、タグ付きＤＬＳメッセージのセットを一日中周期的に繰り返し、“＃＃＃＃＃”として表示される欠落メッセージを正しい結果として表示することができる。
【００３６】
更に別の実施形態では、ＤＬＳタグ付きメッセージは、ＤＬＳタグ付きメッセージの特定の版、即ち特定のＤＬＳメッセージが放送局によってコンパイルされたとき、を識別できる情報を含むことができる。タグ付きＤＬＳメッセージにより送信されるフットボール結果の前記例では、放送局は、多数のタグ付きＤＬＳメッセージを１日中送信することができる。次いで、受信ユニットは、この版情報、例えば、コンパイルの日時を無視し、ＤＬＳメッセージの以前の版を新たな版に単に置き換えるようにプログラムすることができる。或いは又、受信器は、メッセージの異なる版を別々に記憶して、特定の周期全体にわたる又は１日中の事象の経歴を、ユーザが後で検索するように、受信器により記録することができる。
【００３７】
この特定の実施形態では、ＤＬＳメッセージの形態は、次のようになる。
ＤＬＳ１：
“*Football−Prem Lge Table@040106[1]: 1. Chelsea 27pts; 2. Spurs 18pts; 3. Charlton 16pts”
【００３８】
このＤＬＳメッセージは、２００６年１月４日にコンパイルされたものとして受信器によって解釈され、“＠”記号は、ＤＬＳメッセージの版を示す。次いで、受信器は、記憶装置に既に記憶されたが、１月４日以前にコンパイルされたプレミアリーグテーブルの結果をオーバーライトすることができる。或いは又、プレミアリーグテーブルの結果を毎日別々に記憶して、ユーザが、特定の日に関する結果を後日検索できるようにする。
【００３９】
更に別の実施例では、メッセージに含まれる情報は、グラフィック情報を含む。この実施形態では、グラフィック情報は、放送メッセージにおいてエンコードされ、そしてＤＬＳタグの全部又は一部分、及びＳＯＴ識別子とＥＯＴ識別子との間のテキストであるＤＬＳメッセージを含むことができる。
【００４０】
更に別の実施形態では、パーズアルゴリズム（及び特にＳＯＴ、ＥＯＴ及びデリミッタキャラクタの選択）又は受信器ファームウェアは、特別にタグ付けされた「更新」メッセージを受け取る受信器により更新することができる。このメッセージは、全ての受信器によって受信できるが、それをデコードできるのは、パーズアルゴリズムを伴う受信器だけである。一実施形態では、メッセージは、フォーマット“＊＃＃＃ＵＰＤＡＴＥ＃＃＃：：＊−；ＥＮＤ”である。最初のアスタリスク“＊”と、ハッシュ“＃”後のコロン“：”は、前記のように、それらの間に位置するＤＬＳタグを識別するのに使用される。それ故、更新メッセージでは、ＤＬＳタグは、“＃＃＃ＵＰＤＡＴＥ＃＃＃”であり、これは、ＤＬＳタグの後のコロンに続くテキストが、古いＳＯＴ及びＥＯＴ等のキャラクタに置き換わる新たなタグ開始、タグ終了及びデリミッタキャラクタとして解釈されるべきであることを指示するものとしてプロセッサにより認識される
【００４１】
この例では、新たなＳＯＴ識別子が“：”であり、一方、新たなＥＯＴ識別子が“＊”であり、他のキャラクタは不変である。ＤＬＳタグに続くコロンの後のキャラクタの順序は、プロセッサがキャラクタをどのように解釈すべきであるか決定する。
【００４２】
更に別の実施例では、特別にタグ付けされたＤＬＳメッセージを送信することによりラジオ受信器の機能を変更することができる。この例は、二重帯域ＤＡＢ／ＦＭケーパブルラジオ受信器を伴うものである。この受信器は、デフォールトによりＤＡＢのみをイネーブルしてユーザへ搬送されるが、その後、受信器へ送信される特別なＤＬＳメッセージにより二重帯域ＤＡＢ／ＦＭ受信器として動作するようにアンロックされる。メッセージは、製品のシリアルナンバーを含み、従って、プロセッサは、製造者によってメモリ１３に記憶された当該装置のシリアルナンバーを、イネーブルメッセージにおいて送信されるシリアルナンバーと比較することができる。２つのシリアルナンバーが一致することが決定された場合には、受信器の二重機能がイネーブルされ、一方、シリアルナンバーが一致しない場合には、二重機能がイネーブルされない。或いは又、シリアルナンバーをもたずに特殊なメッセージを送信すると、１群のラジオの機能をイネーブルすることができる。
【００４３】
イネーブルＤＬＳメッセージの一例は、“*###ENABLE###:12345−AXU555END”である。このメッセージでは、プロセッサは、12345−AXU555を受信器のシリアルナンバーとして解釈することを知り、そして“END”は、更新メッセージの終了であることを示す。
【００４４】
本発明は、デジタルラジオ受信器、好ましくは、ＤＡＢラジオ受信器を参照して説明した。又、本発明の実施形態は、別の信号、例えば、オーディオ又はビジュアル信号でエンコードされた情報、好ましくは、テキスト情報を受信できる受信器にも適用できる。又、当業者に明らかなように、本発明は、ＶＨＦ／ＦＭ波帯域の従来のアナログラジオにも適用できる。これらの帯域については、付加的な情報（例えば、テキスト情報）を受信器へ送信することができる。これは、エンコーダを使用して、ステレオオーディオ信号の真上に変調された通常のＦＭラジオ信号にラジオデータシステム（ＲＤＳ）メッセージを注入することにより達成される。放送中にＲＤＳメッセージを受信するために、マイクロプロセッサ制御のチューナは、ＲＤＳデータを受信するように再同調され、その間にオーディオ信号がミュートされる。この動作は、数ｍＳ以内に生じ、従って、ユーザは、放送が途切れるのに気づかない。
【００４５】
例えば、ＲＤＳシステムは、放送局が、異なる番組形式情報（ＰＴＹ）を、それらのショー、例えば、ニュース、ロックミュージック、又はクラシックや、放送信号へエンコードされてアナログ受信器により検出される他の情報に指定できるようにする。
【００４６】
前記実施形態と同様に、このようなテキストは、メッセージが特別にタグ付けされたメッセージであるかどうかに関わらず表示されるが、ＳＯＴ及びそれに対応するＥＯＴ識別子のような１つ以上のアルファニューメリックキャラクタでメッセージが特別にタグ付けされた場合だけ記録される。前記のように、これは、ＲＤＳが装備されたアナログラジオをもつユーザに有用な情報を記録及び表示するのに有用な方法を与える。
【図面の簡単な説明】
【００４７】
【図１】デジタルラジオ受信ユニット、好ましくは、本発明によるデジタルオーディオブロードキャスト（ＤＡＢ）受信器の主たる機能的コンポーネントを示すブロック図である。
【図２】本発明の実施形態により遂行される主たるステップを示すフローチャートである。
【図１】
2009529274.tif 000003
【図２】
2009529274.tif 000004
【国際調査報告】
2009529274.tif 000005
2009529274.tif 000006